(57)【要約】【課題】  従来の暗渠パイプ装置を埋設した耕作区は水田から畑地に転換するには、耕作区の周囲に明渠を掘る必要があり、また、逆の場合には明渠を埋め戻す必要があり、田畑転換が容易でないという欠点があった。【解決手段】  本発明の地下灌漑排水用暗渠装置は、耕作区の周囲に埋設せしめた、パイプの長手方向に沿って孔を有するパイプよりなる暗渠と、この暗渠と上記耕作区上面に連通した給水制御装置及び排水制御装置と、上記給水制御装置と上記耕作区の上面に連通する一端と上記排水制御装置に連通する他端とを有する孔なしパイプとよりなることを特徴とする。【選択図】  図１
2006238809.tif 000002
【特許請求の範囲】
【請求項１】
耕作区の周囲に埋設せしめた、パイプの長手方向に沿って孔を有するパイプよりなる暗渠と、この暗渠と上記耕作区上面に連通した給水制御装置及び排水制御装置と、上記給水制御装置に連通する一端と上記排水制御装置に連通する他端とを有する孔なしパイプとよりなることを特徴とする地下灌漑排水用暗渠装置。
【請求項２】
上記給水制御装置が水位制御手段を有することを特徴とする請求項１記載の地下灌漑排水用暗渠装置。
【請求項３】
上記排水制御装置が水位制御手段を有することを特徴とする請求項１または２記載の地下灌漑排水用暗渠装置。
【請求項４】
上記孔なしパイプが上記給水制御装置が排水制御装置に向って次第に下方に傾斜することを特徴とする請求項１、２または３記載の地下灌漑排水用暗渠装置。
【請求項５】
上記給水制御装置側の暗渠部分と上記排水制御装置側の暗渠部分間を連結する、パイプの長手方向に沿って孔を有するパイプよりなる支線暗渠を有することを特徴とする請求項１、２、３または４記載の地下灌漑排水用暗渠装置。
【請求項６】
上記暗渠と上記支線暗渠の少なくとも１つはその中央部が高く山形に折れ曲がっていることを特徴とする請求項５記載の地下灌漑排水用暗渠装置。
【請求項７】
上記耕作区の表面中央部を周辺部に比べて盛り上げたことを特徴とする請求項１，２，３、４、５または６記載の地下灌漑排水用暗渠装置。
【発明の詳細な説明】
【技術分野】
【０００１】
本発明は地下灌漑排水用暗渠装置、特に耕作区の田畑転換を容易ならしめる地下灌漑排水用暗渠装置に関するものである。
【背景技術】
【０００２】
従来、耕作区の水田から畑地への転換、または畑地から水田への転換は、水田と畑地の水位条件が異なるので困難であったが、耕作区の地中にパイプの長手方向に沿って小孔を有するパイプからなる暗渠パイプ装置を埋設し、この暗渠パイプ装置から地中に給水し、また、地中から排水することにより耕作区の水位を調整できるようにし、田畑転換を可能ならしめていた。
【０００３】
図１０は従来の暗渠パイプ装置を示し、１は平行する一方及び他方の２本の農道、２は上記各農道１に夫々隣接し及び直交する畦、３は上記農道１に隣接する畦２と上記農道１に直交する畦２とにより区画された耕作区、４は上記一方の農道１に隣接する畦２に沿って設けた用水路、５は上記他方の農道１に隣接する畦２に沿って設けた排水路、６は上記耕作区３の中央の地中に埋設した、上記用水路４に平行する有限長の給水用集合管、７は上記耕作区３の中央の地中に埋設した、上記排水路５に平行する有限長の排水用集合管、８は上記用水路４と上記給水用集合管６とを連結した給水管、９は上記給水管８に設けた給水制御装置、１０は上記排水路５と上記排水用集合管７とを連結した排水管、１１は上記排水管１０に設けた排水制御装置、１２は上記給水用集合管６と上記排水用集合管７とを連結したパイプの長手方向に沿って小孔を有する複数の暗渠パイプである。
【０００４】
上記従来の暗渠パイプ装置においては、上記給水制御装置９及び上記排水制御装置１１を制御し、上記耕作区３内の地中にある上記暗渠パイプ１２から水を給排水せしめて、上記耕作区３の水位を任意に設定する。このような従来の暗渠パイプ装置としては引用文献１に記載がある。
【特許文献１】特開２００４−２４４８９３号公報
【発明の開示】
【発明が解決しようとする課題】
【０００５】
然しながら、田畑転換が可能になっても、水田から畑地に転換するには、耕作区の周囲に明渠を掘る必要があり、また、逆の場合には明渠を埋め戻す必要があり、田畑転換が容易でないという欠点があった。
【０００６】
また、明渠を作った場合には、明渠の分作付面積が減っていた。
【０００７】
また、畑地から水田に転換した時は、埋め戻した明渠の跡に田植え機がはまってしまうおそれがあった。
【０００８】
本発明は上記の欠点を除くようにしたものである。
【課題を解決するための手段】
【０００９】
本発明の地下灌漑排水用暗渠装置は、耕作区の周囲に埋設せしめた、パイプの長手方向に沿って孔を有するパイプよりなる暗渠と、この暗渠と上記耕作区上面に連通した給水制御装置及び排水制御装置と、上記給水制御装置に連通する一端と上記排水制御装置に連通する他端とを有する孔なしパイプとよりなることを特徴とする。
【００１０】
上記給水制御装置は、水位制御手段を有することを特徴とする。
【００１１】
また、上記排水制御装置は、水位制御手段を有することを特徴とする。
【００１２】
また、上記孔なしパイプは、上記給水制御装置が排水制御装置に向って次第に下方に傾斜することを特徴とする。
【００１３】
また、上記給水制御装置側の暗渠部分と上記排水制御装置側の暗渠部分間を連結する、パイプの長手方向に沿って孔を有するパイプよりなる支線暗渠を有することを特徴とする。
【００１４】
また、上記暗渠と上記支線暗渠の少なくとも１つはその中央部が高く山形に折れ曲がっていることを特徴とする。
【００１５】
また、上記耕作区の表面中央部は、周辺部に比べて盛り上げたことを特徴とする。
【発明の効果】
【００１６】
本発明の地下灌漑排水用暗渠装置によれば、耕作区内の水位を任意に設定することができ、また、水田から畑地に転換する場合でも、耕作区の周囲に明渠を掘る必要がなく、逆の場合も明渠を埋め戻す必要がないので、田畑転換が容易になり、輪作を計画的に行うことができる。
【００１７】
また、給水制御装置と排水制御装置とを連結する、次第に下方に傾斜する孔なしパイプを設けたので、急速給排水が可能となる。
【００１８】
また、暗渠と支線暗渠と耕作区の表面中央部を周辺部に比べて盛り上げたので、急速排水が可能となり、また、耕作区の表面の露出を軽減せしめることができる。
【発明を実施するための最良の形態】
【００１９】
以下図面によって本発明の実施例を説明する。
【実施例１】
【００２０】
本発明の地下灌漑排水用暗渠装置は、図１に示すように、耕作区３の周囲に設けた深さ１ｍ程度の環状の溝１３と、この環状の溝１３の底部に水平に配置した長手方向に沿って小孔を有する環状の暗渠パイプ１４と、上記環状の溝１３の用水路４側の溝の中央から排水路５側の溝の中央を結ぶ深さ１ｍ程度の直線状の溝１５と、この溝１５内に配置した、パイプの長手方向に沿って小孔を有する直線状の暗渠パイプ１６と、上記溝１３，１５内に充填した貝殻等の疎水材１７と、用水路４からの用水を上記耕作区３上面に導入する給水といまたは給水管１８と、上記環状の暗渠パイプ１４の用水路４側に設けた給水口１９と、この給水口１９と用水路４間に設けた給水制御装置２０と、上記環状の暗渠パイプ１４の排水路５側に設けた排水口２１と、この排水口２１と排水路５間に設けた排水制御装置２３と、上記給水制御装置２０と上記排水制御装置２３とを連結する、上記排水制御装置２３に向うに従って、例えば４０ｃｍ／１００ｍの勾配で下方に傾斜した孔なしの給排水パイプ２５とよりなる。
【００２１】
上記給水制御装置２０は、図１及び図２に示すように、畦２に埋め込んだ、上面が開口した箱状の入水枡２６と、上記入水枡２６の、上記溝１３に面する側壁に開口せしめた開口部２７と、上記開口部２７をその底から所望の高さまで塞ぐ上下動自在な仕切り板２８とよりなる。
【００２２】
なお、上記給排水パイプ２５の給水口２９は上記入水枡２６の開口部２７を介して入水枡２６内に連通せしめる。
【００２３】
上記排水制御装置２３は、図１及び図３に示すように、上記畦２に埋め込んだ、上面が開口した内部３１を耕作区３側から仕切る仕切り壁３３と排水路５側から仕切る仕切り壁３４よりなる箱状の排水枡３０と、上記排水枡３０の内部３１を上記仕切り壁３４から仕切る第１，第２の仕切り板３５，３６とを有する。
【００２４】
なお、上記暗渠パイプ１６の排水口２２及び、上記給排水パイプ２５の排水口３７は排水枡３０の内部３１内に連通し、上記排水枡３０の内部３１は上記壁３４を貫通する配水管２４を介して、上記排水路５内に連通せしめる。
【００２５】
本発明の地下灌漑排水用暗渠装置は上記のような構成であるから、上記耕作区３を水田として利用するため上記耕作区３内に急速給水する場合には、図２及び図３に示すように、上記給水制御装置２０においては、上記仕切り板２８を上記入水枡２６から取り外して上記入水枡２６を開放し、上記排水制御装置２３においては、上記仕切り板３５により上記排水管２４を塞ぎ、上記仕切り板３６を上記排水枡３０から取り外して、上記入水枡２６内と上記排水枡３０内とを連通せしめる。
【００２６】
これにより、用水路４から用水３８が給水管１８を介して上記耕作区３上に供給されるとともに、上記用水３８は上記疎水材１７を介して上記暗渠パイプ１４，１６に導入され、上記暗渠パイプ１４，１６の小孔を介して地中に供給され、飽和状態で地上部に廻るようになる。また、上記用水３８は上記入水枡２６を介して上記給排水パイプ２５に導入され、上記排水枡３０に供給され、一方、上記排水管２４は図３に示すように上記仕切り板３５により塞がれているので、上記用水３８は上記排水路５に排出されず、総べて上記耕作区３内に急速に給水される。
【００２７】
上記耕作区３内を所望の水位でかん水する場合には、図４に示すように、上記入水枡２６の開口部２７を仕切り板２８により底から所望の高さ迄を塞ぎ、また、図５に示すように、上記仕切り板３５を上記排水枡３０から取り外して上記排水管２４を開放し、上記仕切り板３６により上記排水枡３０の排水側を仕切る。
【００２８】
これにより、用水路４からの用水３８が給水管１８を介して上記耕作区３上に供給され、上記給水制御装置２０の仕切り板２８の高さを超える水位の用水は上記入水枡２６内に入り込み、上記給排水パイプ２５、上記排水枡３０、上記排水管２４を介して上記排水路５に排出され、また、用水３８は上記疎水材１７を介して上記暗渠パイプ１４，１６に導入され、上記暗渠パイプ１４，１６の小孔を介して地中に供給され、一方、上記排水枡３０の仕切り板３６により上記用水３８は排水路５に排水されないので、上記耕作区３の水位を上記仕切り板２８と同じ高さに設定することができる。
【００２９】
なお、畑地として利用するため上記耕作区３内を所望の水位でかん水する場合には、図６に示すように、上記給水制御装置２０の開口部２７を仕切り板２８で地表面より低い所望の高さまで塞ぐようにする。
【００３０】
また、上記耕作区３を畑地として利用するために上記耕作区３内を排水する場合には、図７に示すように上記給水制御装置２０においては、上記仕切り板２８を上記入水枡２６から取り外して上記入水枡２６の開口部２７を開放し、また、図８に示すように上記排水制御装置２３においては、上記仕切り板３５及び仕切り板３６を上記排水枡３０から取り外し、上記排水管２４を開放し、上記入水枡２６内と上記排水枡３０内とを連通せしめる。
【００３１】
これにより、用水路４から上記耕作区３内に供給された用水３８は全て地表、上記暗渠パイプ１４，１６、上記給排水パイプ２５を介して上記排水制御装置２３内に入り込み、これらの用水３８は上記排水管２４を介して排水路５に排水され、また、地中の水分は上記暗渠パイプ１４，１６の小孔から入り込み、上記排水枡３０を介して上記排水路５に排水され、上記耕作区３内の水位を下げることができ、また、地下からの排水であるためゴミ、土砂の流出がなく、環境に悪影響を与えることがない。
【００３２】
本発明の地下灌漑排水用暗渠装置によれば、水田または畑地であっても任意の高さに水位を調整でき、また、水田から畑地に転換する場合でも、耕作区の周囲に明渠を掘る必要がなく、逆の場合も明渠を埋め戻す必要がないので、田畑転換が容易になり、輪作を計画的に行うことができるという大きな利益がある。
【００３３】
また、隣の耕作区が水田のままでも、畑地に転換できるので、耕作区を集団で転作する必要がない。
【００３４】
また、給排水パイプ２５により排水が良好になり、急速排水が可能となり、乾土効果が高まり、有機物の分解がスムーズに行われ、そのため春先に有機物を多量入れてもガスが発生せず、初期生育がよくなり慣行栽培との差がなくなる。
【００３５】
また、埋め戻した明渠の跡に田植え機がはまるようなことがなくなるので、機械操作の未熟な人にとって便利となる。
【００３６】
また、上記貝殻等の疎水材１７と上記入水枡２６の開口部２６との間に貝殻等が入るのを防止するため、ここに水透過可能なブロックなどを入れてもよい。
【００３７】
また、必要に応じて環状の暗渠パイプ１４間を連結する同様の支線暗渠を複数設けてもよい。
【実施例２】
【００３８】
本発明の第２の実施例においては、図９に示すように上記暗渠パイプ１４，１６と、支線暗渠の少なくとも１つを、その中央部が高く山形に折れ曲がったパイプにより形成せしめ、また耕作区３の表面の中央部を周辺部に比べて盛り上げて山形に整地する。
【００３９】
この実施例によれば、例えば耕作区３の用水路側と排水路側の幅が１００ｍの場合、従来は耕作区の水が抜けるのに水は最大１００ｍ移動する必要があったが、本発明によれば、中央を境に水は夫々排水路側、用水路側に流れていき、水は最大５０ｍの移動ですみ、急速な給排水が可能になる。
【００４０】
また、中央部を高く整地することにより、３６０°のどの方向でも強風で風上側の水が風下に寄せられても迅速に水が戻ってくるようになるので作業時間の短縮及び均平度の向上を計ることができる。
【００４１】
また、田植え後も強風による田面の露出が軽減され雑草の発生を防ぐことができる。
【図面の簡単な説明】
【００４２】
【図１】本発明の地下灌漑排水用暗渠装置を有する耕作区の平面図である。
【図２】本発明の地下灌漑排水用暗渠装置の急速給水時における給水制御装置の説明用縦断側面図である。
【図３】本発明の地下灌漑排水用暗渠装置の急速給水時における排水制御装置の説明用縦断側面図である。
【図４】本発明の地下灌漑排水用暗渠装置の水田の通常かん水時における給水制御装置の説明用縦断側面図である。
【図５】本発明の地下灌漑排水用暗渠装置の水田の通常かん水時における排水制御装置の説明用縦断側面図である。
【図６】本発明の地下灌漑排水用暗渠装置の畑の通常かん水時における給水制御装置の説明用縦断側面図である。
【図７】本発明の地下灌漑排水用暗渠装置の排水時にける給水制御装置の説明用縦断側面図である。
【図８】本発明の地下灌漑排水用暗渠装置の排水時にける排水制御装置の説明用縦断側面図である。
【図９】本発明の地下灌漑排水用暗渠装置の暗渠パイプの他の実施例を示す説明用縦断側面図である。
【図１０】従来の暗渠パイプ装置の概略平面図である。
【符号の説明】
【００４３】
１  農道
２  畦
３  耕作区
４  用水路
５  排水路
６  給水用集合管
７  排水用集合管
８  給水管
９  給水制御装置
１０  排水管
１１  排水制御装置
１２  暗渠パイプ
１３  環状の溝
１４  暗渠パイプ
１５  直線状の溝
１６  暗渠パイプ
１７  疎水材
１８  給水管
１９  給水口
２０  給水制御装置
２１  排水口
２２  排水口
２３  排水制御装置
２４  排水管
２５  給排水パイプ
２６  入水枡
２７  開口部
２８  仕切り板
２９  給水口
３０  排水枡
３１  内部
３３  仕切り壁
３４  仕切り壁
３５  仕切り板
３６  仕切り板
３７  排水口
３８  用水
【図１】
2006238809.tif 000003
【図２】
2006238809.tif 000004
【図３】
2006238809.tif 000005
【図４】
2006238809.tif 000006
【図５】
2006238809.tif 000007
【図６】
2006238809.tif 000008
【図７】
2006238809.tif 000009
【図８】
2006238809.tif 000010
【図９】
2006238809.tif 000011
【図１０】
2006238809.tif 000012